(57)【要約】口腔内の歯と歯の支持構造の放射線画像を得るための歯根端の放射線写真を撮影するために、口腔内で歯の舌側に位置してフィルムを支持するフィルムホルダは、歯に一時的に固定されるバイト部と、前記バイト部に回転可能に装着され、口腔内に位置するフィルム支持部と、前記バイト部に回転可能に装着され、前記フィルム支持部と一緒に回転し、口腔外に位置するフィルム指示部と、を含んでいる。バイト部とフィルム支持部とが取り外され、患者の様々な口腔構造に合わせてフィルム支持部の角度が変化し、フィルム支持台の角度の変化を外部から参照することができ、放射線の中心線の照射角度を容易に調整することができる。【選択図】図２
2012508607.tif 000002
【特許請求の範囲】
【請求項１】
口腔内の歯と歯の支持構造の放射線画像を得るための歯根端の放射線写真を撮影するために、口腔内で歯の舌側に位置してフィルムを支持するフィルムホルダにおいて、
歯に一時的に固定されるバイト部と、
前記バイト部に回転可能に装着され、口腔内で歯の舌側に位置するフィルム支持部と、
前記バイト部に回転可能に装着され、前記フィルムと連動して一緒に回転し、口腔外に位置して、前記バイト部が前記歯に固定された状態で、前記フィルム支持部の角度を調節することができるフィルム指示部と、を具備するフィルムホルダ。
【請求項２】
前記バイト部又は前記フィルム指示部には、前記フィルム指示部の角度を参照するための角度スケールが提供されることを特徴とする請求項１に記載のフィルムホルダ。
【請求項３】
前記フィルム指示部に対応して、前記バイト部の固定角度を表示するためのバイト指示部をさらに含むことを特徴とする請求項１に記載のフィルムホルダ。
【請求項４】
前記フィルム支持部及び前記フィルム指示部と同じ軸上において一体に回転可能に装着され、前記フィルム支持部及び前記フィルム指示部と独立して回転する放射線照射指示部をさらに含むことを特徴とする請求項１に記載のフィルムホルダ。
【請求項５】
前記放射線照射指示部には、放射線の中心線の照準を補助するためのエイミングガイドが、摺動可能に装着されていることを特徴とする請求項４に記載のフィルムホルダ。
【請求項６】
前記放射線照射指示部には、特定の領域のみに放射線を通過させるための放射線遮断部が、摺動可能に装着されていることを特徴とする請求項４に記載のフィルムホルダ
【請求項７】
前記放射線遮断部は、放射線が通過する穴が形成されている遮断板を含み、前記遮断板は、前記放射線照射指示部から前記バイト部までの距離だけ離隔しており、前記遮断板の中心部は、前記放射線照射指示部よりも高く位置していることを特徴とする請求項6に記載のフィルムホルダ。
【請求項８】
前記フィルム支持部は、フィルム支持板及び前記フィルム支持板の一側に形成されている弾性固定片を含み、前記フィルムの支持板には、装着されるフィルムの隅に対応して、隅ガイドが突設されていることを特徴とする請求項１に記載のフィルムホルダ。
【請求項９】
前記フィルム支持部は、デジタルフィルム装置に対応するフィルム支持板及び前記フィルム支持板の一側に形成された弾性固定片を含み、前記フィルム支持板の正面には、前記デジタルフィルム装置の連結ケーブルに対応して湾入部が形成されていることを特徴とする請求項１に記載のフィルムホルダ。
【請求項１０】
口腔内の歯と歯の支持構造の放射線画像を得るための歯根端の放射線写真を撮影するために、口腔内で歯の舌側に位置してフィルムを支持するフィルムホルダにおいて、
歯によって固定されるバイト本体、前記バイト本体を水平に貫通する軸穴、及び前記軸穴に装着される中心軸を含むバイト部と、
前記中心軸に対して回転可能に装着され、口腔内に位置するフィルム支持部と、
前記中心軸を部分的に収容し、前記バイト本体から所定の間隔だけ離隔して、前記フィルム支持部と物理的に結束して一緒に回転し、口腔外に位置して、前記バイト部が前記歯に固定された状態で、前記フィルム支持部の角度を調節することができるフィルム指示部と、
前記フィルム指示部と隣接する位置で前記中心軸を部分的に収容し、前記フィルム指示部とは独立して、前記中心軸を中心に回転可能に装着される放射線照射指示部と、を具備するフィルムホルダ。
【請求項１１】
前記バイト部又は前記フィルム指示部には、前記フィルム指示部の角度を参照するための角度スケールが提供されることを特徴とする請求項１０に記載のフィルムホルダ。
【請求項１２】
前記フィルム指示部に対応して、前記バイト部の固定角度を表示するためのバイト指示部をさらに含み、前記バイト指示部は、前記バイト本体に対して固定されることを特徴とする請求項１０に記載のフィルムホルダ。
【請求項１３】
前記放射線照射指示部には、特定の領域のみに放射線を通過させるための放射線遮断部及び放射線源の照準を補助するためのエイミングガイドが、摺動可能に装着されることを特徴とする請求項１０に記載のフィルムホルダ。
【請求項１４】
前記フィルム支持部は、フィルム支持板及び前記フィルム支持板の一側に形成された弾性固定片を含み、前記フィルムの支持板には、装着されるフィルムの隅に対応して、隅のガイドが突設されていることを特徴とする請求項１０に記載のフィルムホルダ。
【請求項１５】
前記フィルム支持部は、デジタルフィルム装置に対応するフィルム支持板及び前記フィルム支持板の一側に形成された弾性固定片を含み、前記フィルム支持板の正面には、前記デジタルフィルム装置の連結ケーブルに対応して湾入部が形成されていることを特徴とする請求項１０に記載のフィルムホルダ。
【発明の詳細な説明】
【技術分野】
【０００１】
本発明は、口腔内の歯と歯の支持構造の放射線画像を得るための歯根端の放射線写真を撮影するために、口腔内で歯の舌側に位置してフィルムを固定するホルダに関し、より詳しくは、口腔内での歯の長軸に対するフィルムの角度を外部から容易に確認することができ、放射線の中心線の照射角度をガイドできる口腔内の放射線撮影のための角度指示のフィルムホルダに関する。
【背景技術】
【０００２】
歯科治療のために撮影する歯根端放射線写真の撮影方法として、平衡(平行)撮影法と等角撮影法がある。図１は、従来の平行撮影法と等角撮影法を比較するための断面図であって、(a)は、平行撮影法を示したものであり、(b)は、等角撮影法を示したものである。
【０００３】
図１を参照すると、平行撮影法は、フィルムを口腔内に位置させ、フィルムを歯の長軸に平行に位置させて撮影する方法である。フィルムを歯の長軸に平行に位置させることで、撮影で得られる写真の歯のイメージは、実際の歯と一対一の大きさを有する。しかしながら、口腔内のスペースが小さく、低いので、フィルムを歯の長軸に平行に位置させることが難しい。また、画像の歪みを最小にするために、放射線源と歯をできるだけ遠く離し、放射線源と歯との間の距離を維持し、放射線の中心線の方向をガイドするために、約１２〜１６インチのロング-コーン(Long cone)を使用することもある。
【発明の概要】
【発明が解決しようとする課題】
【０００４】
等角撮影法は、歯の長軸とフィルムとがなす角を二等分する線に対して放射線の中心線が直角をなすように調査して撮影する方法である。二等辺三角形において、両側の斜辺は、長さが同じという原理を用いたものであり、やはり撮影で得られる画像の歯のイメージが、実際の歯と一対一の大きさを有することができる。もちろん、平行撮影法よりも口腔内で相対的に制約が少ないが、やはりフィルムを固定した角度が解剖学的構造によって任意に変わることがあり、教科書で勧めるいくつかの定められた角度では、歯を正確に撮影することが依然として難しいという問題点がある。
【０００５】
これに関連して、米国特許第５,７３７,３８８号は、“DIGITAL INTRAORAL X-RAY PHOTOGRAPHY METHOD AND HOLDER FOR PICTURE PLATE OR X-RAY FILM”に関するものであって、フィルムホルダ、バイト部(bite portion)、及び整列ロッド(alignment rod)からなる３つのリンクされたパーツを含む。角度を測定可能なスケールがあるけれど、患者の口に挿入する前に角度を合わせなければならないので、実質的に便利であると言えない。
【０００６】
韓国公開特許第２００５-２９０４７号は、“解剖学的な口腔構造を適用したＸ-ray撮影用整列装置”に関するものであって、人体の口腔構造を考慮して、痛みを最小限にすることを目的とする。前記撮影用整列装置は、傾斜角度に応じて、リングと整列棒とを多様に結合させることができる連結構造を持っているが、構造的に決められるいくつかの組み合わせのみが可能であり、患者の様々な口腔構造に適切に対応できないという問題点がある。
【課題を解決するための手段】
【０００７】
本発明は、従来のフィルムホルダが、固定された角度のバイト部とフィルム支持部とを有しており、様々な口腔構造の患者に、固定された角度のバイト部とフィルム支持部を有する既存のフィルムホルダを使用する際に発生する放射線写真上の歯と歯の支持構造の画像の歪みを解決することができる。
【０００８】
本発明は、患者の様々な口腔構造に対応して、患者がフィルムホルダのバイト部を噛んだ状態で、フィルム支持部の角度が変わることができるフィルムホルダを提供する。
本発明は、フィルム支持部の角度の変化を外部から参照することができ、フィルム支持部の角度の変化による放射線の中心線の照射角度を容易に調整することができ、さらに等角撮影法に忠実な撮影ができるフィルムホルダを提供する。
本発明は、等角撮影法はもちろん、平行撮影法にも対応することができ、歯科医や歯科衛生士が容易に使用することができ、歯と歯の支持構造の放射線撮影映像の精度を高めることができるフィルムホルダを提供する。
本発明の例示的な一実施形態によれば、口腔内の歯と歯の支持構造の放射線画像を得るための歯根端の放射線写真を撮影するために、口腔内で歯の舌側に位置してフィルムを支持するフィルムホルダは、歯に一時的に固定されるバイト部と、前記バイト部に回転可能に装着され、口腔内に位置するフィルム支持部と、前記バイト部に回転可能に装着され、前記フィルム支持部と一緒に回転し、口腔外に位置するフィルム指示部と、を含む。
一般に、バイト部は、歯で噛んで固定可能であるが、歯が失われた場合、モデリングコンパウンドなどの他の固定手段によって一時的に固定できる。歯で噛ませる場合、バイト部は、歯の長軸に垂直な状態にある。歯に対して相対的に固定されるバイト部とは別に、フィルム支持部及びフィルム指示部は、一緒に回転することができる。フィルム支持部は、口腔内で放射線撮影のための一般フィルム又はデジタルフィルム装置を配置することができ、フィルム指示部は、フィルム支持部の旋回運動に対応して、口腔外でフィルム支持部の回転角度を認知できるようにする。フィルム指示部は、単に軸から垂直に延びたロッド状として提供可能であるが、他には、軸の回転に対応する回転部を有し、回転部の回転を数値化して、デジタル化された方法で表現することも可能である。
基本的には、バイト部とフィルム支持部とを回転可能に分離し、口腔外でもフィルム支持部とバイト部間の回転角度を認識できるようにすることが可能である。したがって、口腔内でバイト部に対するフィルム支持部の回転角度を外から直接読み出すことができ、等角撮影法による二等三角形の頂点の角度をすぐに分かることができる。例えば、フィルム指示部を通じてバイト部とフィルム支持部間の角度を直接読み出すことができ、この場合、歯の長軸とフィルムとがなす角度を二等分する線に対して直角をなすように、放射線の中心線の照射角度をすぐに決めることができる。
ここで、放射線の中心線の照射角度を視覚的に表現するために、フィルム支持部及びフィルム指示部と同じ軸を中心に回転する放射線照射指示部をさらに装着することができる。
本発明の例示的な他の実施形態によれば、口腔内の歯と歯の支持構造の放射線画像を得るための歯根端の放射線写真を撮影するために、口腔内で歯の舌側に位置してフィルムを支持するフィルムホルダは、歯に一時的に固定されるバイト本体、前記バイト本体を水平に貫通する軸穴、及び前記軸穴に装着される中心軸を含むバイト部と、前記中心軸に回転可能に装着され、口腔内に位置するフィルム支持部と、前記中心軸を部分的に収容し、前記バイト本体から所定の間隔だけ離隔して、前記フィルム支持部と物理的に結束して一緒に回転するフィルム指示部と、前記フィルム指示部と隣接している位置で前記中心軸を部分的に収容し、前記フィルム指示部とは独立して、前記中心軸を中心に回転可能に装着される放射線照射指示部と、を具備する。
本発明の例示的なさらに他の実施形態によれば、口腔内の歯と歯の支持構造の放射線画像を得るための歯根端の放射線写真を撮影するために、口腔内で歯の舌側に位置してフィルムを支持するフィルムホルダに装着されるフィルム支持板は、デジタルフィルム装置に対応するフィルム支持板及び前記フィルム支持板の一側に形成された弾性固定片を含み、前記フィルム支持板の正面には、前記デジタルフィルム装置の連結ケーブルに対応して湾入部が形成されていることを特徴とする。
【発明の効果】
【０００９】
本発明のフィルムホルダは、患者の様々な口腔構造に対応して、患者がフィルムホルダのバイト部を噛んだ状態でも、その患者固有のフィルム支持部の角度を口腔外で認識することができる
本発明は、アナログ又はデジタル方式のフィルム指示部を介して、口腔内のフィルム支持部の角度の変化を、外部でもすぐに分かるようにすることができ、フィルム支持台の角度をすぐに外部で分かることができ、放射線の中心線の照射角度を迅速に特定し、放射線源を配置することができる。
【００１０】
本発明は、等角撮影法はもちろん、平行撮影法にも対応することができ、歯科医や歯科衛生士が容易に使用することができ、放射線撮影写真の精度を高めることができる。
【図面の簡単な説明】
【００１１】
【図１】従来の平行撮影法及び等角撮影法を比較するための断面図である。
【図２】本発明の一実施形態に係るフィルムホルダの分解斜視図である。
【図３】図２のフィルムホルダを使用して等角撮影法を進行する過程を説明した側断面図である。
【図４】図２のフィルム支持部と類似している別のフィルム支持部を説明するための部分拡大図である。
【図５】本発明の他の実施形態に係るフィルム支持部を説明するための部分拡大図である。
【図６】本発明の他の実施形態に係るフィルム支持部を説明するための部分拡大図である。
【図７】本発明のさらに他の実施形態に係るフィルム支持部を説明するための部分拡大図である。
【図８】図２の放射線遮断部を説明するための正面図である。
【図９】図２のエイミングガイドを説明するための正面図である。
【発明を実施するための形態】
【００１２】
以下、添付図面を参照して、本発明の好ましい実施形態を詳細に説明するが、本発明が実施形態によって制限されるか、又は限定されるわけではない。ちなみに、この説明では、同じ番号は、実質的に同一の要素を指称し、これらの規則の下で、他の図面に記載された内容を引用して説明することができ、当業者に自明であると判断されるか、又は繰り返される内容は、省略することができる。
【００１３】
図２は、本発明の一実施形態に係るフィルムホルダの分解斜視図である。
図２を参照すると、フィルムホルダ１００は、口腔内の歯と歯の支持構造の放射線画像を得るための歯根端の放射線写真を撮影するために、口腔内で歯の舌側にフィルムを位置させるためのものであり、バイト部１１０と、フィルム支持部１３０と、フィルム指示部１４０と、放射線照射指示部１５０と、を含んでいる。バイト部１１０は、下顎骨の閉口作用により歯と歯との間に固定され、フィルム支持部１３０と、フィルム指示部１４０とは、一緒に動きながら、バイト部１１０に対しては、独立して動き、ユーザーは、バイト指示部とフィルム指示部との間の角度関係を把握することにより、バイト部１１０のフィルム支持部１３０の角度を外でも認知可能にすることができる。このために、フィルム支持部１３０とフィルム指示部１４０とは、同じ軸を中心に回転し、本実施形態では、中心軸１２０を中心に回転する。
【００１４】
具体的に、バイト部１１０は、バイト本体１１２及び中心軸１２０を含む。バイト本体１１２は、下顎骨の閉口作用によって歯と歯との間に一時的に固定され、下顎骨の開口作用によってすぐに取り外しが可能である。バイト本体１１２には、水平に貫通する軸穴１１４が形成され、軸穴１１４を貫通して、中心軸１２０が提供される。中心軸１２０には、後述するように、部分的に円形の断面を持つ部分もあり、他の部品との固定のために、非円形又は矩形断面を持つ部分もあり得る。
【００１５】
フィルム支持部１３０は、バイト本体１１２に回転可能に装着される。具体的には、フィルム支持部１３０は、フィルム支持板１３２及び弾性固定片１３４を含み、フィルム支持板１３２の両端部が、バイト本体１１２に向かって延長され、バイト本体１１２の両側面を収容する。フィルム支持部１３０が、バイト本体１１２の両側面を収容した状態で、中心軸１２０が、フィルム支持板１３２の延長部及びバイト本体１１２を貫通し、フィルム支持部１３０が中心軸１２０を中心にバイト部１１０に対して回転可能に取り付けられることができる。
【００１６】
フィルム支持部１３０の一側は、バイト本体１１２から中心軸１２０に沿って側方向に延長され、この場合も、フィルム支持部１３０の延長部分１３５も中心軸１２０に収容しながら、その周りを回転することができる。フィルム支持部１３０の延長部分の端部からフィルム指示部１４０がロッド状に延長形成される。フィルム指示部１４０は、バイト本体１１２から所定の間隔だけ離隔され、例えば、バイト本体１１２が、歯により噛まれていると仮定する場合、患者の顔面によって妨害されないほど離れていることが望ましい。
【００１７】
中心軸１２０の端部は、フィルム支持部１３０の延長端部から露出され、露出した部分に放射線照射指示部１５０及びバイト指示部１６０が組み立てられる。バイト指示部１６０と噛み合う中心軸１２０の一部も矩形の断面を持ち、これに対応して、バイト指示部１６０の端部も矩形の穴を含んでおり、中心軸１２０に固定され得る。一方、中心軸１２０に対応して、放射線照射指示部１５０の端部には、円形の穴が形成され、放射線照射指示部１５０は、中心軸１２０に対して、他の指示部とは別に、所定の角度で回転及び固定され得る。
【００１８】
中心軸１２０の端部には、螺旋(thread)などが形成されることができ、中心軸１２０端部のキャップ１２２を回してフィルム指示部１４０、放射線照射指示部１５０、及びバイト指示部１６０間の噛み合い圧力を調整することができ、キャップ１２２を解放して指示部間の回転角を相互に調節することができ、さらに、キャップ１２２を締めて指示部間の回転角を固定することができる。この場合、フィルム指示部１４０、放射線照射指示部１５０、及びバイト指示部１６０は、中心軸１２０を中心に摩擦によって固定され、他の実施形態によれば、摩擦力を増加させるために、他の表面処理をしたり、中心軸の周りに放射状に形成された突起などを形成することができる。
【００１９】
フィルム指示部１４０又はフィルム支持部１３０には、角度を表現するための角度スケール(angle scale)が形成されることができ、角度スケールを通じて、バイト指示部１６０とフィルム指示部１４０との間の角度を測定することができ、これにより、バイト部１１０とフィルム支持部１３０との間の角度を間接的にリアルタイムに測定することができる。もちろん、角度を測定するためのスケール１６２は、バイト部１１０又はバイト指示部１６０にも形成することができる。
【００２０】
本実施形態では、フィルム指示部１４０が、簡単に中心軸１２０から垂直な方向に延びた形状に提供されるが、別の方法では、中心軸の回転に対応する回転部を持ち、回転部の回転を感知及び数値化して、デジタル化された方法で表現する表示部として提供されることもある。
【００２１】
放射線照射指示部１５０は、放射線の中心線の照射角度を予め予測し、案内するためのものであり、本実施形態では、放射線照射指示部１５０が、ロッド形状で提供され、ロッド形状で提供される場合、その上に、放射線遮断部１８０及びエイミングガイド１９０が摺動可能に装着される。放射線遮断部１８０は、形成された穴を介してのみ放射線が通過するようにしたものであり、不要な部分まで、患者の顔や体が放射線にさらされることを減らすことができる。また、エイミングガイド１９０は、放射線の照射部を密着させることができるものであり、歯科医や歯科衛生士は、所定のエイミングガイド１９０に設置された装備の照射部を移動させて配置することで(合わせることで)、簡単に放射線源を位置させることができる。もちろん、放射線の照射角度及び方向を調整するための手段としては、様々なものを使用することができる。
【００２２】
これらの放射線遮断部１８０及びエイミングガイド１９０は、放射線照射指示部１５０に沿ってスライド移動することができるため、位置の調節が容易であり、両付属品の取り付けや取り外しが非常に容易である。
図３は、図２のフィルムホルダを使用して等角撮影法を進行する過程を説明した側断面図である。
【００２３】
図３を参照すると、施術者は、フィルムホルダ１００のうち、フィルム支持部１３０に適切なフィルム１０を装着した後、フィルム支持部１３０を患者の口腔内に位置させ、患者にとってバイト部１１０うちバイト本体１１２を歯で噛むようにする。バイト本体１１２は、上下に複数個の歯が噛んでいるので、歯の長軸に垂直な状態を維持することができ、大まかに歯の長軸に垂直な面で固定されると仮定することができる。
【００２４】
施術者は、外部に露出されたフィルム指示部１４０を上下に回転させ、最適な角度を見出すことができる。好ましくは、歯の長軸とフィルムとが平行に近づく方向に回転させることが、等角撮影法による画像の歪みをさらに最小限に抑えることができる。この場合、フィルム支持部１３０の角度は決まっておらず、患者の口腔構造及び選択されたフィルム支持板などによって変わることがあり得る。この場合、フィルム支持部１３０は、フィルム指示部１４０と一緒に上下に回転するので、患者の口腔内で最も適切な位置を見出すことができる。
【００２５】
最も適切な位置が決定されると、スケールを通じてバイト指示部１６０とフィルム指示部１４０との間の角度を読み出すことができる。この角度を参照すると、施術者は、放射線の中心線の照射角度を容易に決定することができる。上述のように、等角撮影法によれば、施術者は、バイト指示部１６０とフィルム指示部１４０との間の角度２aを測定した後、バイト指示部１６０又はフィルム指示部１４０と放射線照射指示部１５０とが、二等分した角度(a)ほど隔てるように調整することができる。
【００２６】
等角撮影法によれば、放射線照射指示部１５０と平行な角度が等角撮影法による角度と言え、施術者は、放射線照射指示部１５０を参照して、放射線の中心線の照射角度を調整することができる。
図４は、図２のフィルム支持部と類似している別のフィルム支持部を説明するための部分拡大図である。
【００２７】
図４を参照すると、フィルム支持部１３１は、フィルム支持板１３２及びフィルム支持板１３２の一側に形成された弾性固定片１３４を含んでいる。一般的に、口腔内の歯と歯の支持構造の放射線画像を得るための歯根端の放射線写真撮影では、放射線の感光のためのフィルムが使用され、フィルム支持板１３２の寸法は、フィルムの大きさを考慮して提供される。フィルム支持板１３２の一側から弾性固定片１３４が一体に形成され、弾性固定片１３４は、フィルムを口腔内で一時的に固定することができる。
【００２８】
また、フィルムの揺れを制限するために、フィルム支持板１３２の辺又は隅に隅ガイド１３６が形成されることがある。隅ガイド１３６は、装着されるフィルムの形状に対応するように形成され、フィルムの進入を考慮して、一方の側部の隅ガイドの間隔を他の側面の隅ガイドの間隔よりも広くすることができる。
【００２９】
図５は、本発明の他の実施形態に係るフィルム支持部を説明するための部分拡大図である。
図５を参照すると、フィルム支持部２３０は、フィルム支持板２３２及びフィルム支持板２３２の一側に形成された弾性固定片２３４を含んでおり、バイト部と締結された部分２３１と結束及び分離が可能に装着される。フィルム支持板２３２の下部には、２つの突起２３３が形成されており、突起２３３に対応して、バイト部と締結された部分２３１には、溝が形成されている。
【００３０】
放射線感光を用いたフィルムが使用され、フィルム支持板２３２の寸法も、フィルムの大きさを考慮して提供することができる。もちろん、デジタルフィルムの装置を用いた場合でも、フィルム支持板が、バイト部と締結された部分から分離及び交替可能に装着されることができる。
上顎歯、下顎歯、前歯部の歯や歯部の臼歯部の歯をそれぞれ撮影する際に、フィルムの挿入方向や具体的な寸法が変更でき、上記のように、フィルム支持板を交換可能にすることにより、撮影されている歯の位置及び周辺の口腔構造に従って、適切なフィルムの支持板を使用することが可能である。
【００３１】
図６は、本発明の他の実施形態に係るフィルム支持部を説明するための部分拡大図である。
図６を参照すると、フィルム支持部２３１は、様々な形状に形成することができる。一例として、長手形状のフィルム支持板２３６及びフィルム支持板２３６の一側に形成された弾性固定片２３８を含むことができ、長手形状は、前歯の舌側に位置して、放射線撮影をするのに使用することができる。やはり、フィルム支持板２３６の下部には、交替を可能にする２つの突起２３３が形成されており、突起２３３に対応して、バイト部の残りの部分と締結することができる。しかも、デジタルフィルムの装置を用いた場合でも、フィルム支持板が、バイト部と締結された部分から分離及び交替可能に装着されることができる。
【００３２】
図７は、本発明の別の実施形態に係るフィルム支持部を説明するための部分拡大図である。
図７を参照すると、フィルム支持部３３０は、フィルム支持板３３２及びフィルム支持板３３２の一側に形成された弾性固定片３３４を含んでおり、フィルム支持板３３２の正面の一側には、湾入部３３８が形成される。一般的にデジタルフィルム装置は、外部ケーブルと連結するために、突出部が形成されていてもよく、この突出部に対応するために、フィルム支持板３３２の正面には、湾入部３３８が提供され得る。
上述のように、デジタルフィルムの装置を用いる場合でも、フィルムの支持板が、他の部分と分離及び交替可能に装着されることができ、フィルム支持板の寸法も、フィルムの大きさを考慮して提供することができる。また、デジタルフィルム装置を固定するために、フィルム支持板の辺又は隅に、隅ガイドを形成することができる。
【００３３】
図８は、図２の放射線遮断部を説明するための正面図であり、図９は、図２のエイミングガイドを説明するための正面図である。
図８をみると、放射線遮断部１８０は、放射線照射指示部１５０に摺動可能に装着され、放射線通過穴１８４が形成された遮断板１８２を含んでいる。遮断板１８２は、約放射線照射指示部１５０からバイト部１１０まで離隔しており、正面の歯と歯の支持構造のほか、他の身体が放射線にさらされる危険を減らすことができる。
【００３４】
また、バイト部の軸穴の中心からバイト部の上部又は撮影される歯の中心までの距離を補償するために、遮断板１８２の中心が、約放射線照射指示部１５０のための穴より一定の程度高く位置するようにすることができ、本実施形態では、遮断板１８２の中心を、放射線照射指示部１５０よりも約１cm位高く位置させることができる。それにより、撮影する目的の歯の中心と通過穴１８４の中心とが一致するようにすることが可能である。
【００３５】
また、図９をみると、エイミングガイド１９０も放射線照射指示部１５０を収容する穴よりおよそ一定程度高く位置しており、やはり、放射線の中心線を撮影する目的の歯の中心と一致するようにすることができる。
上述のように、本発明の好ましい実施形態を参照して説明したが、当該技術分野の熟練した当業者であれば、本願の請求の範囲に記載された思想及び領域から逸脱しない範囲内で、本発明を多様に修正及び変更できることを理解できるはずである。
【産業上の利用可能性】
【００３６】
本発明のフィルムホルダは、患者の様々な口腔構造に対応して、患者がフィルムホルダのバイト部を噛んだ状態でも、その患者の固有のフィルム支持部の角度を口腔外で認識することができる
本発明は、等角撮影法はもちろん、平行撮影法にも対応することができ、歯科医や歯科衛生士が容易に使用することができ、放射線撮影写真の精度を高めることができる。
【符号の説明】
【００３７】
１００  フィルムホルダ
１１０  バイト部
１１４  軸穴
１２０  中心軸
１３０  フィルム支持部
１４０  フィルム指示部
１５０  照射指示部
１６０  バイト指示部
１８０  放射線遮断部
１９０  エイミングガイド
【図１】
2012508607.tif 000003
【図２】
2012508607.tif 000004
【図３】
2012508607.tif 000005
【図４】
2012508607.tif 000006
【図５】
2012508607.tif 000007
【図６】
2012508607.tif 000008
【図７】
2012508607.tif 000009
【図８】
2012508607.tif 000010
【図９】
2012508607.tif 000011
【国際調査報告】
2012508607.tif 000012
2012508607.tif 000013
2012508607.tif 000014
2012508607.tif 000015